(57)【要約】      （修正有）【課題】大型の鰤などに対応し得る淡く弱い光を発し強高い強度を有する大型の疑似餌が必要である。【解決手段】疑似餌に発光体３を挿入する場合は、頭部１と下部を二分し、ボルト４と特殊ナット５で接合する。疑似餌の断面形状は、主に円形・楕円形・三角形などがあり、又、釣糸と釣針の孔位置が異なることから、疑似餌を二分して元に戻して組立てる時は、位置合わせが困難となるが、これを克服するために、ボルト４にロックナット７を設置、ロックナット７を締めて固定と位置を容易にできるようにした。疑似餌を二分しないメタルジグなどの疑似餌の場合は、疑似餌の胴外部から内部へ発光体などを挿入する構造として、発光体３を装着する位置に溝とくりぬきから成る挿入孔８をあけ、発光体３を搭載するが、挿入孔８には溝とくりぬきがあって、溝の場合は蓋をしてビス止めとし、くりぬきの場合は発光体３が搭載できる管をビスなどで止めとする。【選択図】図１
2008079587.tif 000002
【特許請求の範囲】
【請求項１】
疑似餌の胴を二分し、ボルトとナットで接合する構造において、元に戻して組立てる時、困難な位置合わせを克服するために、ボルトにロックナットを設置、ロックナットを締めて固定と位置を容易にできるようにしたロックナット機構の疑似餌。
【請求項２】
疑似餌の胴外部から内部へ発光体などを挿入する構造において、発光体を装着する位置に穴をあける。穴は、溝とくりぬきがあり、溝の時は、溝に蓋をしてビス止めなどして空間に発光体を搭載、くりぬきの時は、発光体を搭載できる管をビスなどで止める構造の疑似餌
【発明の詳細な説明】
【技術分野】
【０００１】  本発明は、疑似餌の構造に関する。
【背景技術】
【０００２】  光を通す孔を有する疑似餌は、下記の特許文献に示す以外に類がなく、大型の疑似餌に取り込む場合は、新しい構造の疑似餌を作る必要がある。【０００３】  プラスチックの疑似餌、又、大型では、頭部を鉛・下部をプラスチックのもの、その他、金属などで製作したメタルジグと称する疑似餌など存在する。【０００４】  生餌を分析すると、体内から分泌される匂いや皮膚の独特な光沢から光を反射し生命の存在を示している。これに対して、プラスチックや塗装で光を反射する疑似餌は、反射光に頼っており、夜間の闇の世界では、生き物であると言う自己主張がたりない。【０００５】    特許文献１            特許願  ２００５−２１１８９０
【発明の開示】
【発明が解決しょうとする課題】
【０００６】  光を通す孔を有する疑似餌を、大型の疑似餌に取付け、淡く弱い光を発する生き物に変身させたい。
【０００７】  疑似餌を、光を通す孔を有する疑似餌に変身させるためには、大型の疑似餌に簡単に発光体を挿入させる事ができて、大型の鰤などの引く力の強い魚にも対応できる強度の強い疑似餌が必要です。
【課題を解決するための手段】
【０００８】  疑似餌に発光体を挿入する場合は、頭部と下部を二分して、ボルトとナットで接合するが、魚が大きくなると、魚が暴れた衝撃及び荷重が増大するから、強度を十分に整えたものとします。
疑似餌の断面形状は、主に円形・楕円形・三角形などがあり、又、釣糸と釣針の孔位置が異なるものなどありますから、疑似餌を二分して元に戻して組立てる時は、位置合わせが困難です。
そこで、疑似餌の胴を二分し、ボルトとナットで接合する構造において、元に戻して組立てる時、困難な位置合わせを克服するために、ボルトにロックナットを設置、ロックナットを締めて固定と位置を容易にできるようにした機構の疑似餌が必要です。
【０００９】  疑似餌を二分しないメタルジグなどの疑似餌には、次のようにする。
疑似餌の胴外部から内部へ発光体などを挿入する構造において、発光体を装着する位置に穴をあける。穴は、溝とくりぬきがあり、溝の時は、溝に蓋をしてビス止めなどして空間に発光体を搭載、くりぬきの時は、発光体を搭載できる管をビスなどで止める構造の疑似餌とする。
【発明の効果】
【００１０】  光と構造の組合せ
【００１１】  プラスチックを透明とした時、中央に発光体を挿入し、上面に光を通す孔を有する粘着シ−ルを貼る。
プラスチックを様々な色彩にして使用したい時は、光を通す孔を有する管に発光体を挿入し、これを疑似餌の中央部に装着する。又、同様に、光を通す孔を有する発光体を中央部に装着し、全体として光を通す孔を有する疑似餌とする。
【００１２】  金属類の材料を使用したメタルジグの疑似餌については、中央部をくりぬき、光を通す孔を有する管に発光体を挿入し、これをビスで疑似餌に固定する。
中央部を切削し発光体を挿入した時は、削り取らずに残して置いた本体部分に光を通す孔をあける。他方の蓋にも光を通す孔をあけてビスで固定し、全体として、光を通す孔を有する疑似餌とする。
【００１３】  上の記載から、疑似餌が大型になると、光の組合せと構造の種類が多くなって、その魚類に適した疑似餌を選択できようになる。
【発明をするための最良の形態】
【００１４】  図１〜図３には、鰤釣り用疑似餌の実施例を示す。
【００１５】  図は、１頭部と２後部プラスチックの疑似餌に３発光体を挿入するため、中央部で疑似餌を２つに切断し、４ボルトと５特殊ナットで接続するものです。
【００１６】  図の右側は、１頭部の鉛・６保護筒・４ボルトのステンレスを一体構造とし、４ボルトには、７ロックナットを設け、接続時の固定と微調整を容易なものとする。
図の左側は、８挿入孔・９水抜き孔を有する２後部プラスチックと、１０保護筒を有する５特殊ナットのステンレスを一体構造とします。
２後部プラスチック側には、１１釣針用孔を、又、１頭部には、バランスの良い位置に１２釣糸用孔を設ける。
図１のＡ−Ａ線断面を図３に示し、５特殊ナットに１３スパナかけを設け、７ロックナットを締め付けて固定する時のスパナかけです。
【００１７】  本図の構造は、図のように二分する構造ですから、使用する時には、５特殊ナットから４ボルトを抜いて、２後部プラスチックの８挿入孔に３発光体を挿入し、光を出すようします。
そして、２後部プラスチックの上面に、１５光を通す孔を適度な大きさの孔と間隔に配列した１４粘着シ−ルを貼ります。
３発光体の光は、透明な２後部プラスチックを通過して、１４粘着シ−ルの１５光を通す孔から、光が外にもれ出ます。
１４粘着シ−ルの種類には、プラスチックの粘着シ−ル及び貝を薄く加工して貼った粘着シ−ルなどありますが、どちらも使用可能です。
【００１８】  図２は、図１の上方から見た部分断面図を示します。
２後部プラスチックの断面部分には、１６光を通す孔を有する管に３発光体を挿入し、これを８挿入孔に挿入した例を示すものです。
この事は、同じサイズの疑似餌であっても、光を通す孔の位置が疑似餌の内か外かによって変わった形態になる事を意味しています。
従って、図１と異なり、１５光を通す孔が２後部プラスチックの内部にあるため、１４粘着シ−ルは不要となり、そして、２後部プラスチックの色彩を、光を通す好みの色にあわせる事ができます。
【００１９】  疑似餌の断面形状は、円形・楕円形・三角形など、又、針や釣糸の取付け位置など多岐に渡って種類が多く、二分して元に戻して組立てる時、位置合わせが困難であるため、７ロックナットを締めて固定する時、同時に位置も合わせもします。
【００２０】  上のように疑似餌を二分せず、発光体を挿入する他の方法があり、その例を図４〜図６に示すメタルジグの例で次に説明するものです。
【００２１】  図４〜図６のようなメタルジグの場合は、金属・鉛などの比重の重い材料を使用していますから光を通しません。
このような場合は、１７メタルジグのやや中央に、３発光体が入るようにその位置を機械で切削、又は、疑似餌を鋳物型で製作する時に発光体を入れる１８溝を作り、１９蓋を２０ビスで疑似餌に止め、３発光体を１８溝から離脱させないようにした構造です。
１９蓋は、２０ビスの数を少なくするため、片側に２１蓋のツメ溝を設けて、蓋の一端を２１蓋のツメ溝に掛け、蓋が離脱しないようにしています。
メタルジグの加工部で、切削せず残しておいた側面部に１５光を通す孔をあけ、又、蓋にも同じように１５光を通す孔をあけて、光を両側から出る構造とします。
この構造によって、メタルジグも光を通す孔を有する疑似餌に変身します。
【００２２】  その他の例
上ではメタルジグの例で説明しましたが、金属部分が少なくほとんどがプラスチックで作られている疑似餌についても同じ事ができます。
それは、上に記載の大型の疑似餌で、補強が可能なものについては、材質がプラスチックであっても、メタルジグと同様に蓋式を使用できます。
疑似餌は、深さ・潮流・強度によって各々異なりますから、大きな疑似餌には、複雑な仕掛けの構造的にできるため、本発明の構造が必要なのです。
【産業上の利用可能性】
【００２３】  光を通す孔を有する疑似餌は、上に記載の構造によって、大型魚に至るまで使用出来る事となった。
【図面の簡単な説明】
【００２４】
【図１】    本発明の実施形態を示す疑似餌の部分断面図
【図２】    同疑似餌の上方から見た部分断面図
【図３】    同疑似餌の図１におけるＡ〜Ａ線断面図
【図４】    本発明の実施形態を示すメタルジグの部分断面図
【図５】    同メタルジグの上方から見た部分断面図
【図６】    同メタルジグの図４におけるＢ〜Ｂ線断面図
【符号の説明】
【００２５】  １    頭部
２    後部プラスチック
３    発光体
４    ボルト
５    特殊ナット
６    保護筒
７    ロックナット
８    挿入孔
９    水抜き孔
１０    保護筒
１１    釣針用孔
１２    釣糸用孔
１３    スパナかけ
１４    粘着シート
１５    光を通す孔
１６    光を通す孔を有する管
１７    メタルジグ
１８    溝
１９    蓋
２０    ビス
２１    蓋のツメ溝
【図１】
2008079587.tif 000003
【図２】
2008079587.tif 000004
【図３】
2008079587.tif 000005
【図４】
2008079587.tif 000006
【図５】
2008079587.tif 000007
【図６】
2008079587.tif 000008
【手続補正書】
【提出日】平成19年10月16日(2007.10.16)
【手続補正１】
【補正対象書類名】特許請求の範囲
【補正対象項目名】全文
【補正方法】変更
【補正の内容】
【特許請求の範囲】
【請求項１】
組立て可能な疑似餌を前部と後部に二分し、光を通す合成樹脂部に内部から挿入孔を設置、その合成樹脂部に発光体を挿入した光を通す孔を有する管を装着できることを特徴とした疑似餌。
【請求項２】
疑似餌の光を通す孔の位置へ胴外部から内部に溝又は挿入孔をあけて、溝には蓋又挿入孔には栓を備えた構造とし、発光体や光を通す孔を有する管を装着できることを特徴とした疑似餌。
【請求項３】
疑似餌の胴外部から内部に発光体の挿入孔と脱落防止用段差をあけ備え、発光体をくの字に曲げたときの弾性を利用し、発光体を挿入孔内に留め置ける構造を特徴とした疑似餌。
【請求項４】
光を通す孔を有する管の一方を塞ぎ管の中に発光体を挿入できる構造とし、疑似餌の光を通す合成樹脂の挿入孔及び溝に装着して使用する事を特徴とした光を通す孔を有する管。
【手続補正２】
【補正対象書類名】明細書
【補正対象項目名】全文
【補正方法】変更
【補正の内容】
【発明の詳細な説明】
【技術分野】
【０００１】  本発明は、疑似餌に発光体を挿入する構造に関する。
【背景技術】
【０００２】  下記特許文献の烏賊針は、烏賊に針が良く見えるように工夫されている仕様なので、貪欲な烏賊でも危険で近寄らない。
この手の烏賊針には烏賊は釣れない事が確認されているので、生き物にはできるだけ針を光で見せない事が肝要である。【０００３】  従来の疑似餌は全体で良くできているのでその特徴はそのまま残し、魚を捕獲するためには、光を通す孔をアクセサリーとして使用する事に意義がある。
従って、疑似餌には、水に強くスペースも少なくてすむ化学反応で発光する発光体を使用し、発光体を挿入する構造を解明する。【０００４】
【特許文献】  実公昭  ２４−３２７３号公報
【発明の開示】
【発明が解決しようとする課題】
【０００５】  疑似餌は、それぞれ複雑な形状と大きさを成しているが、その疑似餌に化学反応により発光する発光体を挿入させて自らを装飾し、魚の注意を引く事が重要な課題です。
【課題を解決するための手段】
【０００６】  疑似餌の光が通る合成樹脂部には、発光体を挿入した光を通す孔を有する管を装着できる構造とし、その場の状況に合わせて異なる孔数を有する管の交換計画を加える。
疑似餌の胴外部から溝や挿入孔をあけて設置、溝には蓋又挿入孔には栓及び脱落防止用段差を備えた構造とし、発光体を胴内部に挿入する。
【発明の効果】
【０００７】  従来型疑似餌へ光を通す孔を装飾するため、光を通す孔の位置に発光体を挿入する方法とその構造を要する事から、疑似餌の必要な位置へ溝や挿入孔を設置、蓋・栓や段差を備えて、疑似餌の内部へ発光体を容易に挿入しやすい構造を作り効果を図った。【０００８】  さらに釣り場の状況にすばやく対応できる効果を高めるために、孔径や孔数の異なる管を作り装飾の内容を容易に変更する手段を取った。
【発明を実施するための最良の形態】
【実施例１】
【０００９】  図１は、疑似餌の中央部を１疑似餌の前部と２疑似餌の後部に二分した構造を又図２には、３光を通す孔を有する管について説明する。【００１０】  図１は、棒状疑似餌の中央部を１疑似餌の前部と２疑似餌の後部に二分し、４発光体を挿入した３光を通す孔を有する管を装着するため、２疑似餌の後部に５挿入孔を設置、二分された１疑似餌の前部と２疑似餌の後部は６ボルトと７特殊ナットで接続される構造とする。【００１１】  ２疑似餌の後部は、７特殊ナットと光を通す合成樹脂を使用し、ねじ及び接着剤で接合され、中心部に配置した５挿入孔に４発光体を挿入した３光を通す孔を有する管を装着、その３光を通す孔を有する管は６ボルトで押さえるように作られている。【００１２】  １疑似餌の前部に８釣糸用孔と２疑似餌の後部に９釣針用孔があり、水平に進むようにした特殊な構造をしているため、接続する時に位置合わせが必要で、６ボルトに１０ロックナットを設け固定と微調整をする。【００１３】  ２疑似餌の後部の合成樹脂は、透明又は色彩をほどこした光を通す合成樹脂を使用するものだが、この合成樹脂の部位に４発光体を挿入した３光を通す孔を有する管を装着し、疑似餌に光を通す孔の装飾を施す。
【実施例２】
【００１４】  図３右は、１２メタルジグに５挿入孔と１３脱落防止用段差の構造例を示し、４発光体は、２，９ｍｍφｘ２２ｍｍの一般的なものを使用して説明する。【００１５】  ４発光体を発光させるため、４発光体をくの字に曲げると形状は元に戻らず曲がったままですが、曲がった４発光体には弾性があって５挿入孔が適当な径であれば、くの字に曲がった４発光体を管内に留め置くことができます。
上記より、  図３の右側は、１２メタルジグの側面から３．５ｍｍφの５挿入孔をあけ、反対面の背面側から１．２ｍｍφの孔の１３脱落防止用段差をあけて設け、さらに、５挿入孔と１１光を通す孔をあらかじめ交わるように計画し、１１光を通す孔を両面に各１個あけます。【００１６】  使用時は、４発光体の両端を塗りつぶし、又は、そのまま折り曲げて発光させ押し込み使用しますが、４発光体の取り出しは、１３脱落防止用段差に別途用意したピンを押し込んで行います。
【実施例３】
【００１７】  図３左は、１２メタルジグに５挿入孔をあけ１４栓をねじ込んだ構造例を示し、４発光体は、実施例２と同じものを使用し説明する。【００１８】  １２メタルジグの側面から４ｍｍφの５挿入孔をあけ、出入口にねじを切って１４栓をねじ込む構造とし、その内部へ４発光体を折り曲げて発光させ挿入するが、管径が少し大きいため上記実施例２のように管内に留まらず、４発光体の出し入れは、１４栓をはずすと簡単に取り出せる構造です。【００１９】  １１光を通す孔は、５挿入孔とあらかじめ交わるように計画し、１１光を通す孔を両面に各１個あけた構造です。
【実施例４】
【００２０】  図４〜図６は、上記図３と同様の１２メタルジグに１５溝を設けた例を説明する。【００２１】  図４は平面図を示し、１１光を通す孔の位置を決めておき、図５の側面側から１１光を通す孔を計画した位置へ１５溝を機械で削り、４発光体を挿入しできるようにし、４発光体の脱落防止用に１６蓋を用意して１７蓋の爪溝に掛け１８ビスで止める。【００２２】  図６は、図５の断面を示し１１光を通す孔を両面にあけ、１５溝の中に４発光体を挿入する状態を示す。【００２３】    １５溝は、４発光体を１２メタルジグと平行に配置できるため、１１光を通す孔を複数個疑似餌と平行に配置できる利点があり、デザイン上で有利な事もある。【００２４】  上記溝の構造は、断面が三角形で金属と合成樹脂で製作されているバケにも適用される。
バケが光を通す合成樹脂の場合は、４発光体を挿入した３光を通す孔を有する管を装着できるように１５溝や１６蓋の大きさをあらかじめ整える。
【産業上の利用可能性】
【００２５】  従来の疑似餌に好みに合わせて比較的簡単に発光体を挿入し、装飾して釣を楽しめる事は、疑似餌にとって大きな進展となります。
【図面の簡単な説明】
【００２６】
【図１】    本発明の実施形態を示す疑似餌の側面の部分断面図
【図２】    光を通す孔を有する管と発光体の側面図
【図３】    メタルジグに挿入孔を設けた実施形態を示す平面の部分断面図
【図４】    メタルジグに溝を設けた実施形態を示す平面の部分断面図
【図５】    同図４の側面図
【図６】    同図５のＡ〜Ａ断面図
【符号の説明】
【００２７】    １    疑似餌の前部
２    疑似餌の後部
３    光を通す孔を有する管
４    発光体
５    挿入孔
６    ボルト
７    特殊ナット
８    釣糸用孔
９    釣針用孔
１０    ロックナット
１１    光を通す孔
１２    メタルジグ
１３    脱落防止用段差
１４    栓
１５    溝
１６    蓋
１７    蓋の爪溝
１８    ビス
【手続補正３】
【補正対象書類名】図面
【補正対象項目名】全図
【補正方法】変更
【補正の内容】
【図１】
2008079587.tif 000009
【図２】
2008079587.tif 000010
【図３】
2008079587.tif 000011
【図４】
2008079587.tif 000012
【図５】
2008079587.tif 000013
【図６】
2008079587.tif 000014